(57)【要約】    【課題】サラウンドスピーカーの信号線の長さを大幅に短縮することができ、ケーブル抵抗の干渉を避け、室内の内装の妨げ乃至損なうことの無いサラウンド・サウンドシステムを提供する。    【解決手段】サラウンド・サウンドシステムが利用者の前方及び後方夫々に音源が設けられる。システムは、前方に設けられる一対のフロントスピーカーと、前方に設けられ、指向性音波を出力出来る一対のサラウンドスピーカーと、後方に設けられ、サラウンドスピーカーからの指向性音波を利用者に反射する反射部材と、全てのスピーカーに電気的に接続されるとともに、全ての音声信号が超えた一部の音声信号に遅延させる制御ユニットとを備える。【選択図】図１
2006324991.tif 000002
【特許請求の範囲】
【請求項１】
利用者の前方及び後方夫々に音源が設けられるサラウンド・サウンドシステムにおいて、
前方に設けられる一対のフロントスピーカーと、
前方に設けられ、指向性音波を出力出来る一対のサラウンドスピーカーと、
後方に設けられ、前記サラウンドスピーカーからの指向性音波を前記利用者に反射する反射部材と、
全てのスピーカーに電気的に接続されるとともに、全ての音声信号が超えた一部の音声信号に遅延させる制御ユニットと、
を備えることを特徴とするサラウンド・サウンドシステム。
【請求項２】
前記制御ユニットは、前記一対のサラウンドスピーカー以外の全てのスピーカーの音声出力を遅延することを特徴とする請求項１記載のサラウンド・サウンドシステム。
【請求項３】
前記制御ユニットは、マニュアル入力された距離データによって、制御すべき遅延時間を得ることを特徴とする請求項１記載のサラウンド・サウンドシステム。
【請求項４】
前記制御ユニットは、自動検出により測定された距離データによって、制御すべき遅延時間を得ることを特徴とする請求項１記載のサラウンド・サウンドシステム。
【請求項５】
前記制御ユニットは、ケースに収められた制御ケースの形式で設けられることを特徴とする請求項１記載のサラウンド・サウンドシステム。
【請求項６】
前記制御ユニットはコンピューターであることを特徴とする請求項１記載のサラウンド・サウンドシステム。
【請求項７】
前記制御ユニットはいずれか一つのスピーカーに設置される制御回路であることを特徴とする請求項１記載のサラウンド・サウンドシステム。
【請求項８】
前記反射部材は音波を反射出来る反射板であることを特徴とする請求項１記載のサラウンド・サウンドシステム。
【請求項９】
前方の両フロントスピーカーの間に設けられるセンタースピーカーをさらに備えることを特徴とする請求項１記載のサラウンド・サウンドシステム。
【請求項１０】
前方に設けられるサブウーファーをさらに備えることを特徴とする請求項１記載のサラウンド・サウンドシステム。
【発明の詳細な説明】
【技術分野】
【０００１】
本発明は、サラウンド・サウンドシステムに係わり、とくに、ケーブル抵抗の干渉を避けるため、サラウンドスピーカーの信号線の長さを大幅に短くすることができ、室内の内装の妨げ乃至は損なうことの無いサラウンド・サウンドシステムに関するものである。
【背景技術】
【０００２】
多くの人々が自宅に「ホームシアター」を設置するようになり、しかも増えつつある。どの「ホームシアター」も、必ず、後方の左右両角隅に向けて一対のケーブルを引いてサラウンドスピーカーを設置する必要がある。
【０００３】
レフト、センター、ライト、レフトサラウンド、ライトサラウンド及び重低音専用のチャンネルを全て有する５．１チャンネル（５．１ＣＨ）スピーカーは、「ホームシアター」の標準設備として消費者に認知されている一方で、近年、消費者はホームの内装を益々重視するようになっている。よって、多くなっているサウンドプランナー(sound-planner) は、多くの消費者がホームシアターを作成しようとする際に、どのようにすれば、後ろのレフトサラウンド、ライトサラウンドのプルワイヤ工程よってホームの内装が妨げられたり、損なわれたりすることを避けられるかという問題に最も悩まされていることがあると表明した。
【０００４】
また、一般にアンプによりスピーカーを作動するために、アンプとスピーカーの間に信号線やスピーカー線を使用しなければならないが、これらの信号線やスピーカー線の使用長さはその出力音質の効果に係わっており、長すぎても短すぎても良くない。また、これらの信号線やスピーカー線は面倒な存在であるが、使用しなければならない。スピーカーとアンプとを直接に接続（熔接）出来る方法があれば、そのサウンドは、高価な（数十万元の）信号線やスピーカー線を使う接続の音響効果より良い音で聞ける。このため、ワイヤレススピーカーがそのような事情に応じて誕生したが、唯一の問題は価格が高すぎることである。
【０００５】
要するに、プルワイヤの方式で５．１チャンネルの「ホームシアター」を構築しようとすれば、サラウンドスピーカーのプルワイヤ工程によりホームの内装の妨げ乃至は損なうことがあり、また、ワイヤレススピーカーより同じ「ホームシアター」を構築しようとすれば、逆に価格が高すぎることになる問題がある。
【発明の開示】
【発明が解決しようとする課題】
【０００６】
そのため、どのようにすれば前記両者の間にバランスを取り、後方の左右の両角隅に向けてケーブルを引く必要を無くし、価格も高くならずに庶民レベルに近づける選択を消費者に提供することは、本発明の重要な課題である。
【０００７】
本発明のサラウンド・サウンドシステムは、音波反射技術により、後方に設置されるサラウンドスピーカーに有効に適応し、その後方に設置されるべき一対のサラウンドスピーカーを前方に設け、音波の反射により、利用者が聞けば後方から出力音声が聞こえるようにし、これにより、後方の左右の両角隅に向けてケーブルをさらに引く必要がなくなり、ホームの内装が損なわれるのを避けることができ、ケーブルの長さが適切であるので複雑なケーブル抵抗の問題を考えなくても良いほか、高価なワイヤレススピーカーを使用しなくても、通常価格でワイヤレススピーカーに似た効果を持たせることを目的とする。
【課題を解決するための手段】
【０００８】
前記の目的を達成するために、本発明は、利用者の前方及び後方夫々に設けられるサラウンド・サウンドシステムにおいて、前方に設けられる一対のフロントスピーカーと、前方に設けられ、指向性音波を出力出来る一対のサラウンドスピーカーと、後方に設けられ、前記サラウンドスピーカーからの指向性音波を前記利用者に反射する反射部材と、全てのスピーカーに電気的に接続されるとともに、全ての音声信号が超えた一部の音声信号に遅延させる制御ユニットとを備えるサラウンド・サウンドシステムを提供する。
【発明を実施するための最良の形態】
【０００９】
本発明の特徴とその技術内容をさらに詳細に具体的に説明するために、以下に添付図面を参照しながら、本発明の具体的な実施形態を詳細に説明する。
【００１０】
図１に示すように、本発明は、少なくとも一つの制御ユニット６と、多数のスピーカーと、一対の反射部材７とを備えるサラウンド・サウンドシステムを提供する。これによりサラウンドサウンドを発生し、利用者８は、その場でサラウンドサウンドによってもたらされるホームシアターの臨場感あるサウンドを体感する。このサラウンド・サウンドシステムは、利用者８の前方及び後方夫々に音源が設けられ、利用者８の周囲を囲むサラウンドサウンドを発生する。
【００１１】
周知のように、最も基本的なサラウンドサウンドは、４チャンネルのサラウンド・サウンドシステムであり、一対のフロントスピーカーと、一対のサラウンドスピーカーとを備える。４．１チャンネルのシステムでは、さらに、サブウーファーが前方の何れかの場所に設置される。５．１チャンネルのシステムでは、さらに、センタースピーカーが前方に設置され、好ましくは、利用者の正面に対向され、良好な５．１チャンネルのサラウンドサウンドを発生する。
【００１２】
図に示すように、本発明のサラウンド・サウンドシステムは、一対のフロントスピーカー２と、一対のサラウンドスピーカー３と、センタースピーカー４と、サブウーファー５と、少なくとも一つの制御ユニット６と、一対の反射部材７とを備える。その中で、一対のフロントスピーカー２は、前方の左右の場所に夫々設置され、センタースピーカー４は、前方に設置され、好ましくは利用者の正面に対向される。サブウーファー５は、前方の何れの場所に設置してもよい。一対のサラウンドスピーカー３は、後方に設置されるのではなく、特別に前方に設置され、かつ左右に夫々設置される。これら一対のサラウンドスピーカー３は、ともに指向性スピーカーであり、普通の散乱音波ではなく指向性音波を出力する。一対の反射部材７は、後方の左右の場所に夫々設置され、両サラウンドスピーカー３から夫々指向性音波を受波して利用者に反射する。制御ユニット６は、電気的に上記各スピーカーに接続されることで、音声信号を各スピーカーに伝送出力する。
【００１３】
利用者８が本発明のサラウンド・サウンドシステム内にいる際には、一対のサラウンドスピーカー３が利用者８の前方に設置されるが、一対のサラウンドスピーカー３が指向性音波を出力し、これらの指向性音波が、その人の耳でなく後方に設置されている一対の反射部材７に向かうので、利用者は、一対のサラウンドスピーカー３から前方に出力される指向性音波を直接聞こえない。それら指向性音波は、反射部材７に向かい、反射部材７で受波されてから、散乱音波の形態で利用者８に聞こえるように反射する。言い換えれば、前方に改めて設置される一対のサラウンドスピーカー３から出力された音声は、反射部材７により後方で反射されることにより、後方で音声出力を発生できるのと同様であるので、後方から出力される音声のように聞こえる。
【００１４】
しかしながら、サラウンドスピーカー３から出力された音声が反射部材７に到達するまでの時間（遅延時間）が、遅延現象を発生させるので、全ての音声信号が超えた一部の音声信号に同期した遅延が与えられることが必要である。制御ユニット６によりフロントスピーカー２とセンタースピーカー４とサブウーファー５とが出力する音声信号を遅延してから出力すると、サラウンドスピーカー３が出力した音声信号と同期をとることになって、５．１チャンネルのサラウンドサウンドの要求が達成される。
【００１５】
このようにして、本発明のサラウンド・サウンドシステムでは、本来後方に設置すべきサラウンドスピーカー３を前方に設置できるので、後方の左右の両角隅に向けてケーブルを引く必要がなく、プルワイヤの距離を大幅に短縮できる。
【００１６】
また、制御ユニット６の遅延制御は、上記遅延時間に対応する距離データ（つまり、互いに対応するサラウンドスピーカー３と反射部材７との離隔距離）をマニュアル入力することにより、制御すべき遅延時間を得ることができ、或は、距離データを自動的に検出することにより、制御すべき遅延時間を得ることができる。また、自動検出により、直接、制御すべき遅延時間を得てもよい。例えば、サラウンドスピーカー３にマイクを設け、サラウンドスピーカー３と反射部材７とを正対させた状態で、サラウンドスピーカー３から音波が出された時点から、その音波が反射部材７で反射してそのマイクで受波されるまでの時間を計測し、その時間の半分の時間を求めることで、上記遅延時間を得ることができる。
【００１７】
制御ユニット６は、（図に示すように）制御ケースの形式でもよく、コンピューター（図に示さず）の形式で、コンピューターで出力しまた遅延制御などを行ってもよい。さらに、制御回路（図に示さず）でもよく、この場合、制御回路がいずれか一つのスピーカー（例えば、センタースピーカー４）に直接に設置される。
【００１８】
反射部材７は音波を反射出来る反射板であり、材質は特に制限無く、音波を反射出来る材質であればよい。
【００１９】
本発明は以下の効果を達成できる。従来のサラウンドスピーカーは、いずれも後方に設置する必要があるので、プルワイヤの長さが極めて長くなるのに対し、本発明のサラウンドスピーカーは、前方に設けることができ、前方に設けても、音波の反射により、利用者が聞けば後方から出力音声が聞こえるようにできる。そして、後方の左右の両角隅に向けてケーブルを引く必要がないので、ホームの内装を損なうのを避けることができ、また、ケーブルの長さが適切であるので、複雑なケーブル抵抗の問題を考えなくても良く、しかも高価なワイヤレススピーカーを使用しなくても、通常価格でワイヤレススピーカーに似た効果を得ることができる。
【００２０】
前記に説明した通りに、本発明が提供するサラウンド・サウンドシステムは、確かに前記従来の技術の重大欠点を解決でき、極めて産業上の高度利用価値を有し、かつ効果上にも増進しており、フルに特許の要件を満たすので、法に従って出願を提起する。
【００２１】
また、前記に開示されたそれぞれの具体的な構成は、単に本発明の実施可能な実施例に過ぎなく、本発明の特徴を局限するものではなく、いずれの当該分野における通常の知識を有する専門家が本発明の分野の中で、適当に変更や修飾などを実施できるが、それらの実施のことが本発明の特許請求の範囲に含まれることは言うまでもないことである。
【図面の簡単な説明】
【００２２】
【図１】本発明のサラウンド・サウンドシステムを示す構成図である。
【符号の説明】
【００２３】
２  フロントスピーカー
３  サラウンドスピーカー
４  センタースピーカー
５  サブウーファー
６  制御ユニット
７  反射部材
８  利用者
【図１】
2006324991.tif 000003